(57)【要約】【課題】遊技盤の遊技領域に表示面の大きな大型表示装置と表示面の小さな小型表示装置とを備えたパチンコ機において、これら表示装置の表示に滅り張りをつけることができるパチンコ機を提供することを目的とする。【解決手段】遊技盤１の遊技領域２に表示面１０１の大きな大型表示装置１００と表示面２０１の小さな小型表示装置２００とを備えたパチンコ機において、小型表示装置２００の表示面２０１と大型表示装置１００の表示面１０１とが遊技盤１の前後方向で段違いに位置されたものとした。【選択図】        図１
2004201762.tif 000002
【特許請求の範囲】
【請求項１】
遊技盤の遊技領域に表示面の大きな大型表示装置と表示面の小さな小型表示装置とを備えたパチンコ機において、小型表示装置の表示面と大型表示装置の表示面とが遊技盤の前後方向で段違いに位置されたことを特徴とするパチンコ機。
【請求項２】
遊技盤の盤面に沿った方向において大型表示装置と小型表示装置とが並ぶように取付けられたことを特徴とする請求項１に記載のパチンコ機。
【請求項３】
小型表示装置の表示面を大型表示装置の表示面より前方に位置させたことを特徴とする請求項１又は請求項２に記載のパチンコ機。
【請求項４】
遊技盤の遊技領域にセンター部品を設け、センター部品に大型表示装置の表示面を覆う透過性パネルと小型表示装置の表示面を覆う透過性パネルとを備えたことを特徴とする請求項１ないし請求項３のいずれかに記載のパチンコ機。
【発明の詳細な説明】
【０００１】
【発明の属する技術分野】
本発明は大型表示装置と小型表示装置とを備えたパチンコ機に関する。
【０００２】
【従来の技術】
複数の表示器を有する表示装置を備えたパチンコ機が知られている（例えば、特許文献１参照）。
【０００３】
【特許文献１】
特開平５−７６４７号公報
【０００４】
【発明が解決しようとする課題】
特許文献１の表示装置は複数の表示器を十字状に配置して成るものであるが、各表示器の表示面は同一平面上に配置されているので、縦列の表示器によるリーチ状態の表示と左右の表示器による表示に滅り張りがつかない。また、特許文献１において遊技盤の遊技領域に上記表示装置とは別の例えば小型の表示装置を設ける場合もあるが、これら表示装置の表示面を同一面上に配置すればやはりこれら表示装置の表示に滅り張りがつかない。
本発明は、遊技盤の遊技領域に表示面の大きな大型表示装置と表示面の小さな小型表示装置とを備えたパチンコ機において、これら表示装置の表示に滅り張りをつけることができるパチンコ機を提供することを目的とする。
【０００５】
【課題を解決するための手段】
本発明による遊技機は、遊技盤の遊技領域に表示面の大きな大型表示装置と表示面の小さな小型表示装置とを備えたパチンコ機において、小型表示装置の表示面と大型表示装置の表示面とが遊技盤の前後方向で段違いに位置されたので、これら表示装置の表示に滅り張りをつけて遊技者に見せることができるようになる。
また、遊技盤の盤面に沿った方向において大型表示装置と小型表示装置とが並ぶように取付けられたので、遊技者側から見た場合、大型表示装置の表示面と小型表示装置の表示面が連続して並んでいるように見える一方、表示面間に段差が設けられているので、これら表示装置の表示に滅り張りをつけて遊技者に見せることができるようになる。
また、小型表示装置の表示面を大型表示装置の表示面より前方に位置させたので、小型表示装置の表示面の表示を見やすくできる。
また、遊技盤の遊技領域にセンター部品を設け、センター部品に大型表示装置の表示面を覆う透過性パネルと小型表示装置の表示面を覆う透過性パネルとを備えたので、表示面への球の衝突を防止でき、また、大型表示装置と小型表示装置とを遊技領域の中央に集約して配置することができ、遊技領域を広くできる。
【０００６】
【発明の実施の形態】
以下、実施形態によるパチンコ機を図により説明する。図１は実施形態のパチンコ機の遊技盤に取付けられるセンター部品の近傍の横断面図、図２はセンター部品の斜視図である。
遊技盤１の遊技領域２における盤面１ａの中央にはセンター部品３が取付けられている。センター部品３は表示面１０１の大きな大型表示装置１００の前方に配置される透過性パネル４と、表示面２０１の小さな小型表示装置２００の前方に配置される透過性パネル４５と、飾り部５とで構成される。透過性パネル４，４５は図外の止めねじや接着剤等で飾り部５に取付けられている。小型表示装置２００は飾り部５の右側において前面５ａに近い位置の内部に止めねじ５１等で取付けられ、大型表示装置１００は遊技盤１の裏側に設けられた部品取付体１１０に止めねじ５２等で取付けられ、小型表示装置２００の表示面２０１は大型表示装置１００の表示面１０１より前方に位置されている。センター部品３は遊技盤１の中央に形成された取付孔５０に透過性パネル４側が挿入され、取付フランジ５３を介して止めねじ５４等で遊技盤１の遊技領域２における盤面１ａに取付けられる。
また、小型表示装置２００の表示面２０１と大型表示装置１００の表示面１０１とを遊技盤１の前後方向で段違いとなるように位置させているが、遊技盤１の遊技領域２の盤面１ａに沿った方向においては大型表示装置１００と小型表示装置２００とが並ぶように取付けられている。従って、遊技者側から見たとき、大型表示装置１００の表示面１０１と小型表示装置２００の表示面２０１は連続して並んでいるように見える一方、表示面１０１，２０１間に段差が設けられているので、これら表示装置１００，２００の表示に滅り張りをつけることができる。例えば、図１，２では、大型表示装置１００と小型表示装置２００とが遊技領域２の盤面１ａに沿った左右方向に並ぶように取付けられるが、この場合、遊技者側から見たとき、大型表示装置１００の表示面１０１と小型表示装置２００の表示面２０１は横に連続して並んでいるように見える一方、表示面１０１，２０１間の段差により、これら表示装置１００，２００の表示に滅り張りをつけることができる。つまり、これら表示装置１００，２００の表示に滅り張りをつけて遊技者に見せることができるようになる。
しかも小型表示装置２００の表示面２０１が大型表示装置１００の表示面１０１より前方（遊技者側）に位置しているので、表示図柄等の表示が小さく注目度が低くなりがちな小型表示装置２００の表示面２０１の表示が見やすくなる。
また、大型表示装置１００の表示面１０１を覆う透過性パネル４と小型表示装置２００の表示面２０１を覆う透過性パネル４５とを備えたセンター部品３を備えるので、表示面１０１，２０１への球の衝突を防止できる。また、透過性パネル４と透過性パネル４５とを備えたセンター部品３を用いることにより、大型表示装置１００と小型表示装置２００とを遊技領域２の中央に集約して配置することができ、遊技領域２を広くできる。
【０００７】
図２に示すように、センター部品３は、側部外壁８に球導入部９を有しこの球導入部９から球を後述のステージに導く球誘導路（いわゆるワープ路）１０を備えるとともに、３段ステージが形成された飾り部５を有する。即ち、飾り部５に上段ステージ２０と中段ステージ３０と下段ステージ４０とを備え、下段ステージ４０の奥側にはセンター部品３の下方の遊技領域２に設けられる図柄始動入賞装置６に球を導くための入賞誘導路４１が設けられ、中段ステージ３０の奥側には入賞誘導路４１に繋がれた図外のバイパス路の入口３１，３１が設けられている。これにより球導入部９、球誘導路１０を経て球出口１１から出てくる球は上段ステージ２０あるいは中段ステージ３０に導かれ、中段ステージ３０の奥側に設けられたバイパス路の入口３１，３１を介して入賞誘導路４１に導かれる。入賞誘導路４１に導かれた球は始動入賞誘導釘１３，１３の間を落下して図柄始動入賞装置６に入賞する確率が高くなる。図柄始動入賞装置６に入賞すると、当たりはずれ抽選が行われ、当たりの場合は特別図柄表示に用いられる液晶図柄表示装置等の大型表示装置１００の図柄を変動させ特定の当たり図柄が揃うように停止し、図柄始動入賞装置６の下方の遊技領域２に設けられる図外の可変入賞装置を開閉させる当たり遊技が行われる。はずれの場合は液晶図柄表示装置等の大型表示装置１００の図柄を変動させ特定の当たり図柄が揃わないように停止する。
以上のように、飾り部５に球導入部９、球誘導路１０、３段ステージ２０，３０，４０、バイパス路の入口３１，３１、バイパス路、入賞誘導路４１を備えたセンター部品３を用いれば、遊技性を向上させることができる。
【０００８】
尚、実施形態では、小型表示装置２００の表示面２０１を大型表示装置１００の表示面１０１より前方に位置させたが、小型表示装置２００の表示面２０１を大型表示装置１００の表示面１０１より後方に位置させてもよい。即ち、小型表示装置２００の表示面２０１と大型表示装置１００の表示面１０１とを遊技盤１の前後方向で段違いに位置させればよく、この場合でも、これら表示装置１００，２００の表示に滅り張りをつけて遊技者に見せることができるようになる。
また、大型表示装置１００としては上述したように例えば特別図柄表示に用いられる液晶図柄表示装置等があり、小型表示装置２００としては例えば普通図柄表示に用いられるセグメント（ドット）表示器等がある。
【図面の簡単な説明】
【図１】本発明の実施形態のパチンコ機の遊技盤に取付けられるセンター部品の近傍の横断面図。
【図２】センター部品の斜視図。
【符号の説明】
１  遊技盤、１ａ  盤面、２  遊技領域、３  センター部品、
４，４５  透過性パネル、５  飾り部、１００  大型表示装置、
１０１  大型表示装置の表示面、２００  小型表示装置、
２０１  小型表示装置の表示面。
【図１】
2004201762.tif 000003
【図２】
2004201762.tif 000004